(57)【要約】  送信ダイバーシチ通信で閉ループフィードバックを改善する方法及びシステムである。本発明の一実施例では、１つ以上の送信ダイバーシチパラメータの所定の変更は、送信ダイバーシチ送信機で実行される。受信機は、受信信号の送信ダイバーシチパラメータ値と所定の変更とを比較し、送信ダイバーシチ補正パラメータの値を送信機に送信する。送信機は、この補正値を使用し、次の送信での送信ダイバーシチパラメータを変更してもよい。
2010523017.tif 000002
【特許請求の範囲】
【請求項１】
第１の通信装置により送信された複数の信号を第２の通信装置で受信し、前記複数の信号は、送信ダイバーシチパラメータの値に所定の変更をして送信され、
前記受信した複数の信号の前記送信ダイバーシチパラメータの値を決定し、
前記受信した信号の値と前記送信された信号の前記送信ダイバーシチパラメータの値の前記所定の変更とに基づいて、送信ダイバーシチパラメータ補正値を計算し、
前記送信ダイバーシチパラメータ補正値を前記第１の通信装置に送信することを有する方法。
【請求項２】
前記第１の装置から前記複数の信号を送信することを更に有し、
前記複数の信号の各信号は、少なくとも２つのアンテナを使用して同時に送信され、前記アンテナのそれぞれでの前記送信された信号は、前記送信ダイバーシチパラメータだけ異なり、
前記複数の信号は、前記送信ダイバーシチパラメータに前記所定の変更をして送信される、請求項１に記載の方法。
【請求項３】
前記第１の通信装置での前記送信ダイバーシチパラメータ補正を前記第１の通信装置で受信し、
前記送信ダイバーシチパラメータ補正値に基づいて、前記第１及び第２のアンテナで送信された信号の間の前記送信ダイバーシチパラメータの名目値を変更することを更に有する、請求項２に記載の方法。
【請求項４】
前記送信ダイバーシチパラメータは、位相差である、請求項１に記載の方法。
【請求項５】
前記位相補正を計算することは、前記複数の受信信号の少なくとも１つの周波数と前記第２の通信装置での内部周波数基準との間の少なくとも１つの周波数差を計算することを更に有する、請求項４に記載の方法。
【請求項６】
前記送信ダイバーシチパラメータは、電力比である、請求項１に記載の方法。
【請求項７】
前記複数の信号は、少なくとも２つのそれぞれの送信ダイバーシチパラメータの値に所定の変更をして送信され、
前記方法は、
少なくとも２つの送信ダイバーシチパラメータ補正値を計算し、
前記少なくとも２つの送信ダイバーシチパラメータ補正値を前記第１の通信装置に送信することを更に有する、請求項１に記載の方法。
【請求項８】
前記第１の通信装置から前記複数の信号を送信することを更に有し、前記複数の信号の各信号は、少なくとも２つのアンテナを使用して同時に送信され、
第１の送信期間中に、前記アンテナのそれぞれでの前記送信された信号は、第１の送信ダイバーシチパラメータの所定の値だけ異なり、
第２の送信期間中に、前記アンテナのそれぞれでの前記送信された信号は、第２の送信ダイバーシチパラメータの所定の値だけ異なる、請求項７に記載の方法。
【発明の詳細な説明】
【技術分野】
【０００１】
この出願は、2007年3月15日に出願された米国仮特許出願第60/918,066号の利益を主張し、この全ての内容を援用する。
【０００２】
本発明は、概して無線通信の分野に関し、特に送信ダイバーシチ装置にフィードバックを提供することに関する。
【背景技術】
【０００３】
無線送信システムは、送信ダイバーシチを使用することがあり、この場合、信号は、複数の送信アンテナを使用して受信機に送信される。受信側通信装置は、送信信号から情報を抽出する。複数のアンテナ素子は、スペクトル効率及び容量を拡張することがあり、マルチパス及びフェージングにより引き起こされる信号劣化を低減しつつ、多くのユーザが所与の周波数帯域で同時にサービス提供されることを可能にする。送信ダイバーシチパラメータは、２つ以上のアンテナから送信される信号に適用されることがあり、受信機（基地局等）により検出される有効電力分布を変更することがある。送信信号は、異なるパスを通じて伝搬することがあり、破壊的に干渉し得る異なる位相で受信側通信装置に到達することがある。受信信号品質は、移動端末からの送信を検出しようとし得る受信機で変化することがあり、他の無線端末からの信号を検出しようとする基地局で無線端末の送信により生成された雑音レベルで変化することがある。基地局で認識される信号対雑音比は、送信ダイバーシチ制御のパラメータを変更することで変化し得る。送信信号の干渉を低減するシステム、方法及び装置の必要性が存在する。
【０００４】
2003年1月2日に公開され、この出願の譲受人に譲渡された“Communication  device  with  smart  antenna  using  a  quality-indication  signal”という題の米国特許出願第2003/0002594号は、品質指示信号として、例えばCDMAプロトコルの電力制御ビットにより提供されるような電力制御信号を使用することを記載している。この内容を援用する。
【０００５】
米国特許5,999,826（Whinnett）は、どの受信信号がどのアンテナから送信されたかを識別可能な受信機による送信ダイバーシチアレイの重みを遠隔受信機で決定する方法を記載している。この方法は、各アンテナから異なる参照信号を送信することを必要とする。参照信号は、異なるキャリア周波数、異なる変調周波数（トーン）又は異なるデジタルコードにより特徴付けられるいずれかのトーン（tone）である。この方法は、参照信号の送信が無線インタフェースにより規定されることを必要とする。
【発明の概要】
【発明が解決しようとする課題】
【０００６】
本発明によれば、送信ダイバーシチ信号を変更する以前の技術に関連する欠点及び問題が低減又は除去され得る。本発明の或る実施例では、米国特許出願第2003/0002594号に記載の方法、システム及び装置は、ここに記載のものにより改善、補足又は置換されてもよい。
【０００７】
送信ダイバーシチ送信機にフィードバックを提供する既知の方法によれば、ダイバーシチパラメータの変更の結果としてフィードバック通信装置（例えば、基地局）で測定された結果の電力が増加するか又は減少するかを示すために、電力制御ビット又は他の品質指示信号が使用され得る反復処理が教示される。本発明の実施例の１つの利点は、基地局から送信ダイバーシチ移動送信機への所望のダイバーシチパラメータ（例えば、位相差又は電力比）を通信するための反復の除去又は低減にある。
【課題を解決するための手段】
【０００８】
本発明の実施例によれば、移動送信ダイバーシチ送信機は、位相差パターンに従って送信してもよく、基地局は、受信信号を測定し、位相差補正値及び／又は振幅比補正値を決定するための計算を実行し、この値を移動局に送信してもよい。この値は、例えば、圧縮バイナリ値、コードブックからのコード等として送信されてもよい。移動局は、この補正値を使用し、次の送信での送信ダイバーシチパラメータ値の変更を決定する。
【図面の簡単な説明】
【０００９】
【図１】本発明の実施例による通信システムの一実施例を示すブロック図
【図２】本発明の実施例による期間中の送信の概略時系列
【図３】本発明の実施例による期間中の送信の概略時系列
【発明を実施するための形態】
【００１０】
本発明と見なされる対象は、特に特許請求の範囲に示されている。しかし、本発明は、構成及び動作方法の双方について、その目的、特徴及び利点と共に、添付図面と共に読まれたときに以下の詳細な説明を参照して最も良く理解できる。
【００１１】
説明を簡潔及び明瞭にするため、図面に示す要素は必ずしも縮尺通りに示されていないことがわかる。例えば、明瞭にするために、或る要素の寸法は、他の要素に対して誇張されることがある。更に、適切であると考えられる場合には、対応する要素又は同一の要素を示すために、図面で参照符号が繰り返されることがある。
【００１２】
以下の詳細な説明では、本発明の完全な理解を提供するために、複数の特定の詳細が示されている。しかし、本発明は、これらの特定の詳細なしに実施され得ることが当業者にわかる。他にも、本発明をあいまいにしないように、周知の方法、手順及び構成要素は詳細には記載されていない。
【００１３】
本発明の実施例及びその利点は、図１〜３を参照することで最も良く理解される。様々な図面の同じ部分及び対応する部分に、同じ参照符号が使用される。
【００１４】
図１は、送信ダイバーシチパラメータ（例えば、第１のアンテナ111で送信される信号と第２のアンテナ112で同時に送信される信号との間の位相差又は送信電力比）の名目値（nominal  value）を調整する送信機110（変更通信装置とも呼ばれる）を含む通信システム100の一実施例を示すブロック図である。実施例によれば、送信機は、例えばかく乱率（perturbation  rate）で信号をかく乱し、信号を受信側通信装置120（フィードバック通信装置とも呼ばれる）に送信してもよい。フィードバック通信装置120は、アンテナ121及び送信／受信モジュール122で送信ダイバーシチ信号を受信し、プロセッサ123を使用して受信信号を処理し、フィードバック通信装置120により受信された信号を記述するフィードバック情報を送信してもよい。変更通信装置110は、フィードバック情報に基づいて、名目値調整率で送信ダイバーシチパラメータの名目値を調整してもよい。
【００１５】
図示の実施例によれば、ネットワーク100は、通信セッションのようなサービスを提供するように動作する。通信セッションは、エンドポイントからエンドポイントに測定されたエンドポイント間のアクティブな通信を示してもよい。情報は、通信セッション中に通信される。情報は、音声、データ、テキスト、オーディオ、ビデオ、マルチメディア、制御、シグナリング、他の情報、又は前述の何らかの組み合わせを示してもよい。
【００１６】
情報はパケットで通信されてもよい。パケットは、送信用の特定の方法で構成された一群のデータを有してもよく、フレームは、送信用の特定の方法で構成された１つ以上のパケットのペイロードを有してもよい。パケットを通信するために、インターネットプロトコル（IP）のようなパケット型通信プロトコルが使用されてもよい。
【００１７】
ネットワーク100は、通信セッションを提供するために通信プロトコル及び技術を利用してもよい。通信プロトコル及び技術の例は、IEEE（Institute  of  Electrical  and  Electronics  Engineers,  Inc.）802.xx標準、ITU-T（International  Telecommunications  Union）標準、ETSI（European  Telecommunications  Standards  Institute）標準、IETF（Internet  Engineering  Task  Force）標準、又は他の標準により設定されたものを含む。
【００１８】
ネットワーク100の装置は、如何なる適切な多重アクセス技術（例えば、CDMA（code  division  multiple  access）技術を使用してもよい。一実施例によれば、ネットワーク100は、単一のCDMAチャネルを使用するCDMA  2000通信技術に従って動作してもよい。一例として、EvDO（Evolution  Data  Only）技術のようなCDMA  200高レートデータパケット技術が使用されてもよい。
【００１９】
ネットワーク100は、如何なる適切な通信ネットワークを有してもよい。通信ネットワークは、PSTN（public  switched  telephone  network）、パブリック又はプライベートデータネットワーク、ローカルエリアネットワーク（LAN）、メトロポリタンエリアネットワーク（MAN）、広域ネットワーク（WAN）、グローバルコンピュータネットワーク（インターネット、無線ネットワーク、又はローカル、地域若しくはグローバル通信ネットワーク等）、企業イントラネット、他の適切な通信リンク、又は前述の何らかの組み合わせの一部又は全部を有してもよい。
【００２０】
ネットワーク100の構成要素は、ロジック、インタフェース、メモリ、他の構成要素、又は前述の何らかの組み合わせを含んでもよい。“ロジック”は、ハードウェア、ソフトウェア、他のロジック、又は前述の何らかの組み合わせを示してもよい。特定のロジックは、装置の動作を管理してもよく、例えば、プロセッサを有してもよい。“インタフェース”は、装置への入力を受信し、装置からの出力を送信し、入力若しくは出力又は双方の適切な処理を実行し、又は前述の何らかの組み合わせを実行するように動作可能な装置のロジックを示してもよく、１つ以上のポート、変換ソフトウェア、又はこれらの双方を有してもよい。“メモリ”は、情報を格納して情報の取得を容易にするように動作可能なロジックを示してもよく、ランダムアクセスメモリ（RAM）、読み取り専用メモリ（ROM）、磁気ドライブ、ディスクドライブ、コンパクトディスク（CD）ドライブ、デジタルビデオディスク（DVD）ドライブ、取り外し可能媒体記憶装置、何らかの他の適切なデータ記憶媒体又は前述の何らかの組み合わせを有してもよい。
【００２１】
通信ネットワーク100は、１つ以上の変更通信装置110と、無線リンク130を介して通信する１つ以上のフィードバック通信装置120とを含んでもよい。通信装置110及び120の一方又は双方は、１つ以上の他の通信装置と信号を介して情報を通信するように動作可能な如何なる装置でもよい。例えば、通信装置110又は120の一方は、移動加入者ユニット又は基地局を有してもよい。加入者ユニットは、基地局と通信するように動作可能な如何なる装置（例えば、パーソナルデジタルアシスタント、セルラ電話、移動ハンドセット、コンピュータ、又は基地局へ及び基地局から信号を通信するのに適した他の装置）を有してもよい。加入者ユニットは、例えば、セッションイニシエーションプロトコル（SIP）、インターネットプロトコル（IP）、又は他の適切な通信プロトコルをサポートしてもよい。
【００２２】
基地局は、加入者ユニットが他のネットワーク又は装置と通信することを可能にする通信ネットワークへのアクセスを加入者ユニットに提供してもよい。典型的には、基地局は、基地送受信局と基地局コントローラとを含む。基地送受信局は、１つ以上の加入者ユニットへ及び１つ以上の加入者ユニットから信号を通信する。基地局コントローラは、基地送受信局の動作を管理する。
【００２３】
本発明の或る実施例では、フィードバック通信装置120は基地局でもよく、変更通信装置110は加入者ユニットでもよい。
【００２４】
通信装置110又は120の一方又は双方は、１つ以上のアンテナ素子を含んでもよく、各アンテナ素子は、信号を受信、送信又は送受信するように動作可能である。複数のアンテナ素子は、空間フィルタリング（spatial  filtering）として知られる分離処理を提供してもよい。空間フィルタリングはスペクトル効率を拡張し、多くのユーザが所与の周波数帯域で同時にサービス提供されることを可能にする。
【００２５】
通信装置110及び120の間の通信リンク（無線リンク130等）は、ネットワーク構成でセルラである無線周波数リンクでもよい。無線リンク130は、通信装置120及び130の間で信号を通信するために使用されてもよい。
【００２６】
以下に詳細に説明するように、本発明の実施例によれば、変更通信装置110は、少なくとも第１及び第２のアンテナ111及び112で送信する１つ以上の信号を計算及び生成するプロセッサ114及び送信／受信モジュール113を含んでもよい。
【００２７】
フィードバック通信装置120は、フィードバック通信装置120で受信された修正後の信号の品質を示すフィードバック信号を生成及び送信するプロセッサ123及び送信／受信モジュール122を含んでもよい。変更通信装置110は、フィードバック信号に対応するフィードバック情報に従って送信信号を変更してもよい。
【００２８】
一実施例によれば、信号を変更することは、信号特性を変更することを示してもよい。送信信号特性（或いは本発明の或る実施例では送信ダイバーシチパラメータ）は、非限定的に、送信の何らかの特性（例えば、相対位相、相対振幅、相対電力、絶対電力、周波数、タイミング、変調（調整）され得る他の適切な信号特性、又は前述の何らかの組み合わせ）を示してもよい。相対位相は、第１の送信アンテナ素子の第１の信号の位相と、第２の送信アンテナ素子の第２の信号の位相との間の位相差を示してもよい。相対電力は、第１の送信アンテナ素子の第１の信号の電力と、第２の送信アンテナ素子の第２の信号の電力との間の比を示してもよい。この比は、線形又は対数目盛で規定されてもよい。相対振幅は、第１の送信アンテナ素子の第１の信号の振幅と、第２の送信アンテナ素子の第２の信号の振幅との間の比を示してもよい。絶対電力は、変更通信装置110の全てのアンテナにより送信される全電力を示してもよい。一実施例によれば、信号を変更することは、送信ダイバーシチパラメータの名目値を調整することとして記載されてもよい。ここで詳細に説明するように、本発明の実施例によれば、かく乱（perturbation）周期中の送信ダイバーシチパラメータの変調（調整）は、かく乱周期の第１の部分の間に第１の方向に名目値から逸脱した送信ダイバーシチパラメータを使用して送信し、かく乱周期の第２の部分の間に第２の方向に名目値から逸脱した送信ダイバーシチパラメータを使用して送信することを有してもよい。
【００２９】
本発明の動作の一実施例によれば、変更通信装置110は、信号をかく乱することにより信号を変更してもよい。信号をかく乱することは、信号の名目値に対して信号の信号特性を変調（調整）することを示してもよく、例えば、第１のフィードバック間隔の間に第１の方向に信号特性を変更し、他のフィードバック間隔の間に第２の方向に信号特性を変更することを有してもよい。かく乱周期は、第１の方向への第１の変調（調整）と第２の方向への第２の変調（調整）とを示してもよい。本発明の或る実施例では、かく乱周期は、異なる（例えば長い又は複雑な）変調（調整）シーケンスを有してもよい。位相に関して、かく乱は、第１の方向に位相差を変調（調整）し、第２の方向に位相差を変調（調整）することを含んでもよい。フィードバック通信装置120により提供されたフィードバック情報が、他のかく乱変調（調整）方向を使用して受信した信号に比べて、或るかく乱変調（調整）方向を使用して受信した信号での改善を示した場合、次の名目値の調整は、変調（調整）以下の量で改善した方向に行われてもよい。
【００３０】
本発明の実施例によれば、送信ダイバーシチパラメータの名目値は、第１のレート（かく乱率として示される）でかく乱され、送信ダイバーシチパラメータの名目値は、第２のレート（名目値調整率として示される）で調整されてもよい。かく乱率及び名目値調整率は、実質的に同じでもよく、異なってもよい。互いにフィードバック率と実質的に同じでもよく、異なってもよい。
【００３１】
本発明の実施例によれば、送信ダイバーシチ送信機（例えば、複数のアンテナを備えた移動装置）は、各アンテナを使用して、それぞれ等しい振幅を有する第１の信号及び第２の信号を送信してもよい。第１及び第２の信号は、送信アンテナ間で位相差をかく乱して順次に送信されてもよい。従って、例えば、まず、信号は第１の位相差を使用してアンテナで送信され、次に、信号は第１の位相差からかく乱された第２の位相差を使用して送信されてもよい。信号は、キャリア角周波数ωで送信される。
【００３２】
信号は、受信機（例えば、基地局）で受信されてもよい。例えば、移動局でのパスロスの差及び／又は潜在的な不均衡のため、受信機では、信号は異なる振幅で受信されてもよい。第１の受信信号に対する第２の受信信号の相対又は正規化振幅はAとして示される。２つの信号はまた、例えば、送信機で導入される意図的な位相差のため、及び有効伝搬パスの差のため、異なる位相で受信されてもよい。受信段階での差はφとして示される。従って、第１のアンテナからの信号は、基地局によりs1(t)として受信され、第２のアンテナからの信号はs2(t)として受信される。ここでは、s1(t)及びs2(t)は、基地局により受信された信号を示し、これらの位相差φがゼロのときに受信した最大合成振幅を示す。
【００３３】
以下の式では、以下の規則が三角関数及び他の関数の表記に使用されることが容易に明らかになる。
sin(x)はxのサイン関数である
cos(x)はxのコサイン関数である
tg(x)はxのタンジェント関数である
argtg(x)はxのアークタンジェント関数である
【００３４】
【数１】
2010523017.tif 000003
は変数xに対する関数fの偏導関数である
【００３５】
【数２】
2010523017.tif 000004
は変数xに対する関数fの第２次偏導関数である
２つの受信信号は、基地局で合成されs(t)を形成する。従って、以下のようになる。
【００３６】
【数３】
2010523017.tif 000005
ただし、
【００３７】
【数４】
2010523017.tif 000006
である。
【００３８】
従って、以下のことがわかる。
【００３９】
【数５】
2010523017.tif 000007
ただし、
【００４０】
【数６】
2010523017.tif 000008
である。従って、以下のようになる。
【００４１】
【数７】
2010523017.tif 000009
或いは、基地局により受信された信号の最終的な表現は、以下のように記述される。
【００４２】
【数８】
2010523017.tif 000010
従って、２つの送信正弦波のモデルでは、基地局により受信された信号はまた、同じ周波数であるが異なる振幅及び位相を有する正弦波である。γは、前述の(1)に規定されている基本変数A及びφに依存する。
【００４３】
【数９】
2010523017.tif 000011
従って、受信信号の最終的な表現は、未知の変数A、φの関数として記述されてもよい。
【００４４】
【数１０】
2010523017.tif 000012
送信機及び受信機（例えば、移動局及び基地局）の双方に知られている期間Tの送信周期を仮定すると、移動局が期間T1の間に名目位相で送信すると、T2の期間の間にα1の位相かく乱を導入し、続いてT3の期間の間にα2の位相かく乱を導入する。(11)から、信号が振幅AMP及び位相PHを有することが推定され得る。
ただし
【００４５】
【数１１】
2010523017.tif 000013
【００４６】
【数１２】
2010523017.tif 000014
である。
【００４７】
図２は、本発明の実施例による期間Tを示しており、かく乱した信号T2及びT3が長い期間を有するT1の後に現れる。処理遅延の観点から、周期のT2及びT3のタイミング（例えば、周期の終わり、中間又は始まり）は、全体のシステム遅延を短縮し得る。本発明の一実施例では、T1は全期間Tの約90%でもよく、T2及びT3のそれぞれは全期間Tの5%でもよい。
【００４８】
これらの期間は基地局と移動局との双方に知られているため、振幅及び位相は、以下のように時間T1、T2及びT3について比較されてもよい。
T1の場合：
【００４９】
【数１３】
2010523017.tif 000015
T2の場合：
【００５０】
【数１４】
2010523017.tif 000016
T3の場合：
【００５１】
【数１５】
2010523017.tif 000017
α2=-α1の場合は、前述の特別な対称的なかく乱の場合である。
【００５２】
前述の式を使用して、φの新しい値は、一式の測定パラメータy1〜y4を前提としてAMP関数を最大化するものと考えられる。
【００５３】
【数１６】
2010523017.tif 000018
振幅比を使用することにより、未知のスケーリング（scaling）が相殺されてもよい。
【００５４】
従って、変数A及びφは、以下の一式の式(24)〜(27)に最も適する値として決定されてもよい。
【００５５】
【数１７】
2010523017.tif 000019
A及びφに最も適する値の推定値は、ここで詳細に説明する必要のない周知の計算方法を使用して実行されてもよい。A及びφがわかると、補正値βは、すなわち、式(29)から、以下のAMP(T’)を最大化することにより決定されてもよい。
【００５６】
【数１８】
2010523017.tif 000020
【００５７】
【数１９】
2010523017.tif 000021
βの値は、その最大値を決定する式の標準的な数値評価により計算されてもよく、参照テーブル又は何らかの数学的に利用可能な閉鎖式（closed  formula）から計算されてもよい。(29)の数学的な導出は、AMP(T’)が次のときに最大になることを示している。
【００５８】
【数２０】
2010523017.tif 000022
最大値は以下のようになる。
【００５９】
【数２１】
2010523017.tif 000023
従って、基地局は、前述のように計算されたβの数値を移動局に送信してもよい。移動局は、そのアンテナポートを通じて送信された信号の間の前の名目位相差をβだけ補正してもよい。このため、この位相差φはφ+βになる。φは、伝搬パスのため、位相差に加えて送信された位相差に近似される位相差で受信された位相差を表す点に留意すべきである。
【００６０】
更に又は代替として、本発明の実施例では、１つの周期は、特定の位相差及び電力比で送信されてもよく、次の周期は、基地局の最後の制御に基づいて送信されてもよい。このため、図３に示すように、かく乱は必要ない。前述の計算は２つの未知数を計算するために４つの測定を提供するため、同じ計算がここでも当てはまる。
【００６１】
更なる精度を作り得る本発明の実施例では、基地局は、前の周期の複数の測定を使用し、長い履歴が使用されるため移動性に対する高い感度を犠牲にして、信号対雑音比（SNR）についてロバストな対策を提供してもよい。
【００６２】
本発明の更に他の実施例では、基地局は、受信信号を最大化させるために、振幅比（すなわち、移動局のアンテナポート間の送信信号の相対電力区分）を補正する情報を移動局に提供してもよい。
【００６３】
本発明の実際の実装では、移動局により送信される信号と、基地局により受信される信号と、基地局の内部周波数基準との間に明らかな周波数差が存在し得ることを考慮すべきである。本発明は、異なる時間での位相差の推定を含み得るため、推定側と推定された信号との間の周波数の差は、角周波数Δω及び経過時間Δtの差に対する時間依存の位相差Δφ(t)を引き起こし得る。
【００６４】
【数２２】
2010523017.tif 000024
従って、基地局は、位相差又は位相ドリフトを推定し、受信した信号とその内部時間基準との間の周波数差を推定した後にそれを補ってもよい。これらの対策は当業者に周知である。
【００６５】
本発明の実施例では、基地局は、受信信号を最大化させるために、送信信号の位相及び振幅比の補正を提供してもよい。
【００６６】
本発明の更に他の実施例では、基地局は、当業者に周知の標準的な線形又は非線型予測技術を使用して、基地局に通信される更なる最適な位相差又は最適な振幅比を推定してもよい。これは、前述の(30)に記載した過去の信号に基づいて計算された結果を送信するのではなく、移動局により適用される時間までにどれが最適なパラメータになるかを決定するために、予測器が適用される。
【００６７】
本発明の更に他の実施例では、基地局は、補正パラメータを送信し、移動局は、当業者に周知の線形又は非線型予測技術を適用することによりどのパラメータが適用されるかを決定する。この実施例は、基地局の計算が参照する時間を知ることにより最適化されてもよい。これは、合意又は標準により設定されてもよい。
【００６８】
本発明の更に他の実施例では、移動局は、基地局から受信した下りリンク信号の変化を測定することにより、適用するパラメータを補正してもよい。このことにより、移動局は、例えば移動局の回転、位置の変化又は基地局に対する速度の変化により引き起こされた変化の補償を直ちに適用することが可能になる。これらの補正値は、周波数差の推定と期間毎の必要な変化の適用とを含み、前述の実施例に必要なものと同じ推定技術を使用することにより適用される。移動局での２アンテナ受信と結合されたときに、２つのアンテナにより受信された信号の振幅の変化は、送信信号の振幅比に適用されてもよい。
【００６９】
受信した下りリンク信号の予測又は測定を用いて移動局により取り入れられた補正値は、基地局による送信ダイバーシチ制御パラメータ（位相差又は振幅）の提供に基づくものであれ、本発明及び他の発明を使用して移動局により計算された送信ダイバーシチ制御パラメータ（例えば電力制御型）の提供に基づくものであれ、移動局の送信ダイバーシチ制御の如何なる用途にも適用可能である。
【００７０】
上りリンク送信ダイバーシチ制御に関して様々な実施例を説明したが、本発明の教示を下りリンク送信ダイバーシチ制御に適用するために、基地局及び移動局の役目は逆になってもよい。
【００７１】
本発明の特定の実施例は、前述の技術的利点の一部又は全部を含んでもよく、含まなくてもよい。１つ以上の他の技術的利点は、図面、詳細な説明及び特許請求の範囲から当業者に容易に明らかになる。
【００７２】
実施例の前述の説明は、当業者が本発明を制作又は使用することを可能にするために提供されている。本発明は、その実施例を参照して特に図示及び説明されているが、様々な形式及び詳細の変更が本発明の範囲及び要旨を逸脱することなく行われ得ることが当業者にわかる。例えば、如何なる移動通信プロトコル（例えば、CDMA又は他の形式のプロトコル）が使用されてもよい。例えば、TDMA（time-division  multiple  access）又はFDMA（frequency-division  multiple  access）プロトコルを用いて、前述のものと同様の通信装置が使用されてもよい。このようなTDMAプロトコルは、例えば、GSM（Global  Systems  for  Mobile  Communications）プロトコルを含んでもよい。
【００７３】
通信装置の調整は複雑な重み付けの使用を通じて説明されているが、他の実施例では、他の形式の制御信号が通信装置を調整してもよい。換言すると、このような制御信号の使用を通じた通信装置の調整は、信号の大きさ及び位相を変更することについての情報に限定される必要はない。例えば、制御信号は、各アンテナ素子に関連する信号の大きさ、位相、周波数及び／又はタイミングを変化させる情報を伝達してもよい。
【００７４】
本発明の様々な実施例について前述したが、これらは一例のみとして提示されており、限定的でなないことがわかる。従って、本発明の範囲は前述の実施例に限定されず、特許請求の範囲及び均等に従って規定されるべきである。
【図１】
2010523017.tif 000025
【図２】
2010523017.tif 000026
【図３】
2010523017.tif 000027
【国際調査報告】
2010523017.tif 000028
2010523017.tif 000029
2010523017.tif 000030